(57)【要約】【課題】効率よく、光変調装置の表示領域を照明することができるプロジェクターを提供する。【解決手段】第１，第２，第３，第４発光装置は、第５発光装置が配置された配置領域を区画し、前記配置領域は、第１辺と第２辺と第３辺と第４辺とで区画される矩形の領域であり、前記第１辺の中点の最も近くに配置された第６発光装置から射出される光の強度は、前記第１，第２発光装置から射出される光の強度よりも小さく、前記第１発光装置の中心から前記第１辺の中点へ向かう第１方向に並ぶ前記第５発光装置は、前記第１発光装置と前記第６発光装置との間において、前記第１方向に向かうに従って、射出される光の強度が小さくなり、前記第２発光装置の中心から前記第１辺の中点へ向かう第２方向に並ぶ前記第５発光装置は、前記第２発光装置と前記第６発光装置との間において、前記第２方向に向かうに従って、射出される光の強度が小さくなる、プロジェクター。【選択図】図５
2019184967.tif 000002
【特許請求の範囲】
【請求項１】
複数の発光装置が配置された配置面を有する光源と、
前記光源から射出される光を、画像情報に応じて変調させる矩形の表示領域を有する光変調装置と、
を有し、
複数の前記発光装置のうち、第１発光装置、第２発光装置、第３発光装置、および第４発光装置は、複数の前記発光装置のうち第５発光装置が配置された配置領域を区画し、
前記配置領域は、前記配置面の法線方向から見た平面視において、
前記第１発光装置の中心と前記第２発光装置の中心とを結ぶ第１辺と、
前記第２発光装置の中心と前記第３発光装置の中心とを結ぶ第２辺と、
前記第３発光装置の中心と前記第４発光装置の中心とを結ぶ第３辺と、
前記第４発光装置の中心と前記第１発光装置の中心とを結ぶ第４辺と、
で区画される矩形の領域であり、
前記第５発光装置は、複数配置され、
複数の前記第５発光装置のうち、前記第１辺の中点の最も近くに配置された第６発光装置から射出される光の強度は、前記第１発光装置から射出される光の強度、および前記第２発光装置から射出される光の強度よりも小さく、
複数の前記第５発光装置のうち、前記第１発光装置の中心から前記第１辺の中点へ向かう第１方向に並ぶ前記第５発光装置は、前記第１発光装置と前記第６発光装置との間において、前記第１方向に向かうに従って、射出される光の強度が小さくなり、
複数の前記第５発光装置のうち、前記第２発光装置の中心から前記第１辺の中点へ向かう第２方向に並ぶ前記第５発光装置は、前記第２発光装置と前記第６発光装置との間において、前記第２方向に向かうに従って、射出される光の強度が小さくなる、プロジェクター。
【請求項２】
請求項１において、
複数の前記第５発光装置のうち、前記配置領域の中心の最も近くに配置された第７発光装置から射出される光の強度は、前記第６発光装置から射出される光の強度よりも大きく、
複数の前記第５発光装置のうち、前記第１辺の中点から前記配置領域の中心に向かう第３方向に並ぶ前記第５発光装置は、前記第６発光装置と前記第７発光装置との間において、前記第３方向に向かうに従って、射出される光の強度が大きくなる、プロジェクター。
【請求項３】
請求項２において、
前記第７発光装置から射出される光の強度は、前記第１発光装置から射出される光の強度、および前記第２発光装置から射出される光の強度よりも小さい、プロジェクター。
【請求項４】
請求項１ないし３のいずれか１項において、
前記発光装置は、１つの発光素子を有する、プロジェクター。
【請求項５】
請求項４において、
前記表示領域における光の形状は、複数の発光素子が矩形の配置領域に配置された光源において、全ての発光素子から射出される光の強度が同じ場合に比べて、矩形に近い、プロジェクター。
【請求項６】
請求項４において、
前記光源から射出される光を前記表示領域に導く導光体を有し、
前記導光体の入射面における光の形状は、複数の発光素子が矩形の配置領域に配置された光源において、全ての発光素子から射出される光の強度が同じ場合に比べて、矩形に近
い、プロジェクター。
【請求項７】
請求項１ないし３のいずれか１項において、
前記発光装置は、１つ以上の発光素子を有し、
前記第６発光装置が有する前記発光素子の数は、前記第１発光装置が有する前記発光素子の数、および前記第２発光装置が有する前記発光素子の数よりも少なく、
前記第１発光装置が有する前記発光素子から射出される光の強度、前記第２発光装置が有する前記発光素子から射出される光の強度、および前記第６発光装置が有する前記発光素子から射出される光の強度は、同じである、プロジェクター。
【請求項８】
請求項１ないし７のいずれか１項において、
複数の前記第５発光装置のうち、前記第２辺の中点の最も近くに配置された第８発光装置から射出される光の強度は、前記第２発光装置から射出される光の強度、および前記第３発光装置から射出される光の強度よりも小さく、
複数の前記第５発光装置のうち、前記第２発光装置の中心から前記第２辺の中点へ向かう第３方向に並ぶ前記第５発光装置は、前記第２発光装置と前記第８発光装置との間において、前記第３方向に向かうに従って、射出される光の強度が小さくなり、
複数の前記第５発光装置のうち、前記第３発光装置の中心から前記第２辺の中点へ向かう第４方向に並ぶ前記第５発光装置は、前記第３発光装置と前記第８発光装置との間において、前記第４方向に向かうに従って、射出される光の強度が小さくなる、プロジェクター。
【請求項９】
請求項８において、
複数の前記第５発光装置のうち、前記第３辺の中点の最も近くに配置された第９発光装置から射出される光の強度は、前記第３発光装置から射出される光の強度、および前記第４発光装置から射出される光の強度よりも小さく、
複数の前記第５発光装置のうち、前記第３発光装置の中心から前記第３辺の中点へ向かう前記第２方向に並ぶ前記第５発光装置は、前記第３発光装置と前記第９発光装置との間において、前記第２方向に向かうに従って、射出される光の強度が小さくなり、
複数の前記第５発光装置のうち、前記第４発光装置の中心から前記第３辺の中点へ向かう前記第１方向に並ぶ前記第５発光装置は、前記第４発光装置と前記第９発光装置との間において、前記第１方向に向かうに従って、射出される光の強度が小さくなる、プロジェクター。
【請求項１０】
請求項９において、
複数の前記第５発光装置のうち、前記第４辺の中点の最も近くに配置された第１０発光装置から射出される光の強度は、前記第４発光装置から射出される光の強度、および前記第１発光装置から射出される光の強度よりも小さく、
複数の前記第５発光装置のうち、前記第４発光装置の中心から前記第４辺の中点へ向かう前記第４方向に並ぶ前記第５発光装置は、前記第４発光装置と前記第１０発光装置との間において、前記第４方向に向かうに従って、射出される光の強度が小さくなり、
複数の前記第５発光装置のうち、前記第１発光装置の中心から前記第４辺の中点へ向かう前記第３方向に並ぶ前記第５発光装置は、前記第１発光装置と前記第１０発光装置との間において、前記第３方向に向かうに従って、射出される光の強度が小さくなる、プロジェクター。
【発明の詳細な説明】
【技術分野】
【０００１】
本発明は、プロジェクターに関する。
【背景技術】
【０００２】
高輝度で小型のプロジェクターに対するニーズが高まっている。
【０００３】
例えば特許文献１には、蛍光体層と蛍光体層を発光させるエミッタとを備えた光源と、画像形成部と、を有し、周辺の領域ほどエミッタの配設密度を大きくすることにより、投射される画面全体の輝度が均一となるようにしたプロジェクターが記載されている。
【先行技術文献】
【特許文献】
【０００４】
【特許文献１】特開２０００−７５４０６号公報
【発明の概要】
【発明が解決しようとする課題】
【０００５】
上記のようなプロジェクターでは、効率よく、画像形成部（光変調装置）の表示領域を照明することが望ましい。
【課題を解決するための手段】
【０００６】
本発明に係るプロジェクターの一態様は、
複数の発光装置が配置された配置面を有する光源と、
前記光源から射出される光を、画像情報に応じて変調させる矩形の表示領域を有する光変調装置と、
を有し、
複数の前記発光装置のうち、第１発光装置、第２発光装置、第３発光装置、および第４発光装置は、複数の前記発光装置のうち第５発光装置が配置された配置領域を区画し、
前記配置領域は、前記配置面の法線方向から見た平面視において、
前記第１発光装置の中心と前記第２発光装置の中心とを結ぶ第１辺と、
前記第２発光装置の中心と前記第３発光装置の中心とを結ぶ第２辺と、
前記第３発光装置の中心と前記第４発光装置の中心とを結ぶ第３辺と、
前記第４発光装置の中心と前記第１発光装置の中心とを結ぶ第４辺と、
で区画される矩形の領域であり、
前記第５発光装置は、複数配置され、
複数の前記第５発光装置のうち、前記第１辺の中点の最も近くに配置された第６発光装置から射出される光の強度は、前記第１発光装置から射出される光の強度、および前記第２発光装置から射出される光の強度よりも小さく、
複数の前記第５発光装置のうち、前記第１発光装置の中心から前記第１辺の中点へ向かう第１方向に並ぶ前記第５発光装置は、前記第１発光装置と前記第６発光装置との間において、前記第１方向に向かうに従って、射出される光の強度が小さくなり、
複数の前記第５発光装置のうち、前記第２発光装置の中心から前記第１辺の中点へ向かう第２方向に並ぶ前記第５発光装置は、前記第２発光装置と前記第６発光装置との間において、前記第２方向に向かうに従って、射出される光の強度が小さくなる。
【０００７】
前記プロジェクターの一態様において、
複数の前記第５発光装置のうち、前記配置領域の中心の最も近くに配置された第７発光装置から射出される光の強度は、前記第６発光装置から射出される光の強度よりも大きく
、
複数の前記第５発光装置のうち、前記第１辺の中点から前記配置領域の中心に向かう第３方向に並ぶ前記第５発光装置は、前記第６発光装置と前記第７発光装置との間において、前記第３方向に向かうに従って、射出される光の強度が大きくなってもよい。
【０００８】
前記プロジェクターの一態様において、
前記第７発光装置から射出される光の強度は、前記第１発光装置から射出される光の強度、および前記第２発光装置から射出される光の強度よりも小さくてもよい。
【０００９】
前記プロジェクターの一態様において、
前記発光装置は、１つの発光素子を有していてもよい。
【００１０】
前記プロジェクターの一態様において、
前記表示領域の入射面における光の形状は、複数の発光素子が矩形の配置領域に配置された光源において、全ての発光素子から射出される光の強度が同じ場合に比べて、矩形に近くてもよい。
【００１１】
前記プロジェクターの一態様において、
前記光源から射出される光を前記表示領域に導く導光体を有し、
前記導光体の入射面における光の形状は、複数の発光素子が矩形の配置領域に配置された光源において、全ての発光素子から射出される光の強度が同じ場合に比べて、矩形に近くてもよい。
【００１２】
前記プロジェクターの一態様において、
前記発光装置は、１つ以上の発光素子を有し、
前記第６発光装置が有する前記発光素子の数は、前記第１発光装置が有する前記発光素子の数、および前記第２発光装置が有する前記発光素子の数よりも少なく、
前記第１発光装置が有する前記発光素子から射出される光の強度、前記第２発光装置が有する前記発光素子から射出される光の強度、および前記第６発光装置が有する前記発光素子から射出される光の強度は、同じであってもよい。
【００１３】
前記プロジェクターの一態様において、
複数の前記第５発光装置のうち、前記第２辺の中点の最も近くに配置された第８発光装置から射出される光の強度は、前記第２発光装置から射出される光の強度、および前記第３発光装置から射出される光の強度よりも小さく、
複数の前記第５発光装置のうち、前記第２発光装置の中心から前記第２辺の中点へ向かう第３方向に並ぶ前記第５発光装置は、前記第２発光装置と前記第８発光装置との間において、前記第３方向に向かうに従って、射出される光の強度が小さくなり、
複数の前記第５発光装置のうち、前記第３発光装置の中心から前記第２辺の中点へ向かう第４方向に並ぶ前記第５発光装置は、前記第３発光装置と前記第８発光装置との間において、前記第４方向に向かうに従って、射出される光の強度が小さくなってもよい。
【００１４】
前記プロジェクターの一態様において、
複数の前記第５発光装置のうち、前記第３辺の中点の最も近くに配置された第９発光装置から射出される光の強度は、前記第３発光装置から射出される光の強度、および前記第４発光装置から射出される光の強度よりも小さく、
複数の前記第５発光装置のうち、前記第３発光装置の中心から前記第３辺の中点へ向かう前記第２方向に並ぶ前記第５発光装置は、前記第３発光装置と前記第９発光装置との間において、前記第２方向に向かうに従って、射出される光の強度が小さくなり、
複数の前記第５発光装置のうち、前記第４発光装置の中心から前記第３辺の中点へ向か
う前記第１方向に並ぶ前記第５発光装置は、前記第４発光装置と前記第９発光装置との間において、前記第１方向に向かうに従って、射出される光の強度が小さくなってもよい。
【００１５】
前記プロジェクターの一態様において、
複数の前記第５発光装置のうち、前記第４辺の中点の最も近くに配置された第１０発光装置から射出される光の強度は、前記第４発光装置から射出される光の強度、および前記第１発光装置から射出される光の強度よりも小さく、
複数の前記第５発光装置のうち、前記第４発光装置の中心から前記第４辺の中点へ向かう前記第４方向に並ぶ前記第５発光装置は、前記第４発光装置と前記第１０発光装置との間において、前記第４方向に向かうに従って、射出される光の強度が小さくなり、
複数の前記第５発光装置のうち、前記第１発光装置の中心から前記第４辺の中点へ向かう前記第３方向に並ぶ前記第５発光装置は、前記第１発光装置と前記第１０発光装置との間において、前記第３方向に向かうに従って、射出される光の強度が小さくなってもよい。
【図面の簡単な説明】
【００１６】
【図１】本実施形態に係るプロジェクターを模式的に示す図。
【図２】本実施形態に係るプロジェクターの光源を模式的に示す平面図。
【図３】本実施形態に係るプロジェクターの光源を模式的に示す平面図。
【図４】本実施形態に係るプロジェクターの光源を模式的に示す断面図。
【図５】光の断面における強度分布を説明するための図。
【図６】本実施形態に係るプロジェクターの光変調装置を模式的に示す平面図。
【図７】光の断面における強度分布を説明するための図。
【図８】光の強度分布を説明するための図。
【図９】光の断面における強度分布を説明するための図。
【図１０】光の強度分布を説明するための図。
【図１１】光の断面における強度分布を説明するための図。
【図１２】光の強度分布を説明するための図。
【図１３】光の断面における強度分布を説明するための図。
【図１４】光の断面における強度分布を説明するための図。
【図１５】光の強度分布を説明するための図。
【図１６】本実施形態の第２変形例に係るプロジェクターを模式的に示す図。
【図１７】本実施形態の第２変形例に係るプロジェクターの導光体を模式的に示す斜視図。
【図１８】本実施形態の第２変形例に係るプロジェクターの導光体を模式的に示す斜視図。
【図１９】本実施形態の第３変形例に係るプロジェクターの発光装置を模式的に示す平面図。
【図２０】本実施形態の第３変形例に係るプロジェクターの発光装置を模式的に示す断面図。
【図２１】本実施形態の第３変形例に係るプロジェクターの発光装置を模式的に示す平面図。
【図２２】本実施形態の第３変形例に係るプロジェクターの発光装置を模式的に示す断面図。
【発明を実施するための形態】
【００１７】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１８】
１．  プロジェクター
まず、本実施形態に係るプロジェクターについて、図面を参照しながら説明する。図１は、本実施形態に係るプロジェクター１００を模式的に示す図である。なお、図１および後述する図２〜図６では、互いに直交する３軸として、Ｘ軸、Ｙ軸、およびＺ軸を図示している。
【００１９】
プロジェクター１００は、図１に示すように、例えば、光源１０と、液晶ライトバルブ（光変調装置）２０と、第１偏光板３０と、第２偏光板３２と、投射装置４０と、を有している。
【００２０】
光源１０は、光を射出する。ここで、図２は、光源１０を模式的に示す平面図である。図３は、光源１０を模式的に示す図２の拡大図である。図４は、光源１０を模式的に示す図３のＩＶ−ＩＶ線断面図である。光源１０は、図１〜図４に示すように、例えば、基板１１と、ヒートシンク１２と、発光装置１３と、を有している。なお、便宜上、図１では、発光装置１３を簡略化して図示している。
【００２１】
基板１１は、例えば、半導体基板、絶縁性基板などである。基板１１は、複数の発光装置１３が配置された配置面１１ａを有している。図示の例では、配置面１１ａは、＋Ｘ軸方向を向く面であり、Ｘ軸と平行な法線Ｐを有している。配置面１１ａの形状は、例えば、矩形である。
【００２２】
ヒートシンク１２は、基板１１の配置面１１ａとは反対側（図示の例では−Ｘ軸方向側）の面に設けられている。ヒートシンク１２の材質は、例えば、銅、アルミニウムなどである。ヒートシンク１２は、発光装置１３の熱を放熱させることができる。
【００２３】
発光装置１３は、配置面１１ａに複数配置されている。複数の発光装置１３は、図２に示すように、２次元アレイ状に（マトリックス状に）配置されている。発光装置１３は、図３および図４に示すように、例えば、発光素子１４と、レンズ１５と、を有している。図示の例では、発光装置１３は、発光素子１４を１つだけ有し、１つの発光素子１４と、１つのレンズ１５と、によって構成されている。光源１０は、発光素子１４ごとに発光強度を制御可能な機能（例えば発光素子１４を駆動させる駆動回路）を有している。図示の例では、複数の発光素子１４に対して１つのレンズ１５を備える構成である。
【００２４】
発光素子１４は、発散角が小さい（狭配光角の）光（光束）を射出する面発光型の発光素子である。発光素子１４から射出される発散光の配光分布は、例えば、射出光軸に関して軸対称である。射出光軸は、例えば、法線Ｐと平行である。
【００２５】
発光素子１４は、例えば、ＬＥＤ（Light Emitting Diode）、ＥＬ（Electronic Luminescent）素子、ＶＣＳＥＬ（Vertical Cavity Surface Emitting Laser）、ナノコラム発光素子（ナノコラムＬＥＤ、ナノコラムＬＤ（Laser Diode））などである。特に、ナノコラム発光素子は、ＧａＮ等のナノサイズの柱状（コラム状）結晶体を有する発光素子であり、発散角が小さい光を射出できるため、発光素子１４として好適に用いられる。
【００２６】
発光素子１４の発光面（光が射出される射出面）の形状は、最密充填配置できる形状、例えば、矩形であることが好ましいが、特に限定されない。例えば、円形や、六角形でもよい。隣り合う発光素子１４同士の間隔は、狭いことが好ましい。隣り合う発光素子１４同士の間隔が狭いと、各発光素子１４から射出される光同士が混じり易くなるため、例えば、発散角が小さい光を射出する発光素子１４であっても、光源１０から射出される光における強度ムラを低減することができる。図示はしないが、隣り合う発光素子１４は、互
いに接していてもよい。
【００２７】
レンズ１５には、発光素子１４から射出される光が入射する。レンズ１５は、例えば、凸レンズである。レンズ１５は、発光素子１４から射出される光の発散角を小さくすることができる。図示の例では、複数のレンズ１５は、隣り合うレンズ１５が接続されてレンズアレイを構成している。レンズ１５の材質は、例えば、ガラスである。
【００２８】
図２に示すように、複数の発光装置１３のうち、第１発光装置１３ａ、第２発光装置１３ｂ、第３発光装置１３ｃ、および第４発光装置１３ｄは、複数の発光装置１３のうち第５発光装置１３ｅが配置された配置領域１６を区画している。配置領域１６は、配置面１１ａの領域である。
【００２９】
図示の例では、Ｘ軸方向から見た平面視において（以下、単に「平面視において」ともいう）、第１発光装置１３ａは、複数の発光素子１４のうち、最も＋Ｙ軸方向側であって、かつ、最も＋Ｚ軸方向側に配置された第１発光素子１４ａを有する発光装置１３である。第２発光装置１３ｂは、複数の発光素子１４のうち、最も−Ｙ軸方向側であって、かつ、最も＋Ｚ軸方向側に配置された第２発光素子１４ｂを有する発光装置１３である。第３発光装置１３ｃは、複数の発光素子１４のうち、最も−Ｙ軸方向側であって、かつ、最も−Ｚ軸方向側に配置された第３発光素子１４ｃを有する発光装置１３である。第４発光装置１３ｄは、複数の発光素子１４のうち、最も＋Ｙ軸方向側であって、かつ、最も−Ｚ軸方向側に配置された第４発光素子１４ｄを有する発光装置１３である。
【００３０】
配置領域１６の面積（Ｘ軸方向から見た平面視における面積）に対する発光素子１４の面積の比（面積比）は、例えば、１／１０以下であり、好ましくは１／１００以下であり、より好ましくは１／１０００以下である。面積比が小さいほど、光源１０から射出される光の断面の形状および強度を、細かく制御することができる。特に、ナノコラム発光素子は、面積比を小さくすることができるため、発光素子１４として好適に用いられる。
【００３１】
配置領域１６は、配置面１１ａの法線Ｐ方向（図示の例ではＸ軸方向）から見た平面視において、第１辺１６ａと、第２辺１６ｂと、第３辺１６ｃと、第４辺１６ｄと、で区画される矩形の領域である。
【００３２】
平面視において、第１辺１６ａは、第１発光装置１３ａと第２発光装置１３ｂとを結ぶ辺である。第２辺１６ｂは、第２発光装置１３ｂと第３発光装置１３ｃとを結ぶ辺である。第３辺１６ｃは、第３発光装置１３ｃと第４発光装置１３ｄとを結ぶ辺である。第４辺１６ｄは、第４発光装置１３ｄと第１発光装置１３ａとを結ぶ辺である。図示の例では、発光装置１３の形状は、平面視において、矩形である。
【００３３】
平面視において、第１辺１６ａは、第１発光装置１３ａの中心Ｃ１と、第２発光装置１３ｂの中心Ｃ２と、を結ぶ辺である。第２辺１６ｂは、第２発光装置１３ｂの中心Ｃ２と、第３発光装置１３ｃの中心Ｃ３と、を結ぶ辺である。第３辺１６ｃは、第３発光装置１３ｃの中心Ｃ３と、第４発光装置１３ｄの中心Ｃ４と、を結ぶ辺である。第４辺１６ｄは、第４発光装置１３ｄの中心Ｃ４と、第１発光装置１３ａの中心Ｃ１と、を結ぶ辺である。図示の例では、第１発光装置１３ａの中心Ｃ１は、第１発光素子１４ａの中心であり、第２発光装置１３ｂの中心Ｃ２は、第２発光素子１４ｂの中心であり、第３発光装置１３ｃの中心Ｃ３は、第３発光素子１４ｃの中心であり、第４発光装置１３ｄの中心Ｃ４は、第４発光素子１４ｄの中心である。発光素子１４の形状は、平面視において、例えば、矩形である。平面視において、発光素子１４の中心は、例えば、発光素子１４の発光面の中心と同じ位置である。
【００３４】
なお、中心とは、当該形状を内部に含む最小の円（最小包含円）の中心をいう。図示の例では、第１発光素子１４ａの中心とは、平面視において、第１発光素子１４ａを内部に含む最小の円の中心である。第２発光素子１４ｂの中心とは、平面視において、第２発光素子１４ｂを内部に含む最小の円の中心である。第３発光素子１４ｃの中心とは、平面視において、第３発光素子１４ｃを内部に含む最小の円の中心である。第４発光素子１４ｄの中心とは、平面視において、第４発光素子１４ｄを内部に含む最小の円の中心である。
【００３５】
第５発光装置１３ｅは、配置領域１６に配置されている。図示の例では、第５発光装置１３ｅの少なくとも一部は、配置領域１６に配置されている。第５発光装置１３ｅは、複数配置されている。
【００３６】
複数の第５発光装置１３ｅのうち、第６発光装置１３ｆは、第１辺１６ａの中点Ｍ１の最も近くに配置されている。図示の例では、第６発光装置１３ｆは、中点Ｍ１に配置されている。第６発光装置１３ｆは、中点Ｍ１に配置された発光素子１４を有している。
【００３７】
複数の第５発光装置１３ｅのうち、第７発光装置１３ｇは、配置領域１６の中心Ｃの最も近くに配置されている。図示の例では、第７発光装置１３ｇは、中心Ｃに配置されている。第７発光装置１３ｇは、中心Ｃに配置された発光素子１４を有している。
【００３８】
同様に、複数の第５発光装置１３ｅのうち、第８発光装置１３ｈ、第９発光装置１３ｉ、第１０発光装置１３ｊは、それぞれ、第２辺１６ｂの中点Ｍ２、第３辺１６ｃの中点Ｍ３、第４辺１６ｄの中点Ｍ４の最も近くに配置されている。図示の例では、発光装置１３ｈ，１３ｉ，１３ｊは、それぞれ、中点Ｍ２，Ｍ３，Ｍ４に配置されている。発光装置１３ｈ，１３ｉ，１３ｊは、それぞれ、中点Ｍ２，Ｍ３，Ｍ４に配置された発光素子１４を有している。
【００３９】
ここで、図５は、光源１０から射出された直後の光の断面Ｓ１における強度分布を説明するための図である。断面Ｓ１の強度分布は、例えば、光源１０の発光領域（図４では、ＹＺ平面と平行な面であって、光源１０の＋Ｘ軸方向側の端と接する領域）１７における強度分布である。
【００４０】
光の断面Ｓ１は、図５に示すように、例えば、第１領域Ａ１と、第１領域Ａ１よりも強度が小さい第２領域Ａ２と、第２領域Ａ２よりも強度が小さい第３領域Ａ３と、第３領域Ａ３よりも強度が小さい第４領域Ａ４と、を有するような強度分布を有している。図示例では、光の断面Ｓ１の形状は、矩形である。領域Ａ１，Ａ２，Ａ３，Ａ４は、例えば、光の断面Ｓ１の中心を通りＹ軸に平行な仮想軸（図示せず）に関して対称であり、かつ、中心を通りＺ軸に平行な仮想軸（図示せず）に関して対称である。
【００４１】
図２および図５に示すように、発光装置１３ｆ，１３ｈ，１３ｉ，１３ｊから射出される光の強度は、発光装置１３ａ，１３ｂ，１３ｃ，１３ｄ，１３ｇから射出される光の強度よりも小さい。図示の例では、発光装置１３ａ，１３ｂ，１３ｃ，１３ｄ，１３ｇから射出される光は、主に第１領域Ａ１を形成する光である。発光装置１３ｆ，１３ｉから射出される光は、主に第３領域Ａ３を形成する光である。発光装置１３ｈ，１３ｊから射出される光は、主に第４領域Ａ４を形成する光である。
【００４２】
複数の第５発光装置１３ｅのうち、第１発光装置１３ａの中心Ｃ１から中点Ｍ１に向かう第１方向（図示の例では−Ｙ軸方向）に並ぶ第５発光装置１３ｅは、第１発光装置１３ａと第６発光装置１３ｆとの間において、−Ｙ軸方向に向かうに従って、射出される光の強度が小さくなる。
【００４３】
複数の第５発光装置１３ｅのうち、第２発光装置１３ｂの中心Ｃ２から中点Ｍ１に向かう第２方向（図示の例では＋Ｙ軸方向）に並ぶ第５発光装置１３ｅは、第２発光装置１３ｂと第６発光装置１３ｆとの間において、＋Ｙ軸方向に向かうに従って、射出される光の強度が小さくなる。
【００４４】
複数の第５発光装置１３ｅのうち、中点Ｍ１から中心Ｃに向かう第３方向（図示の例では−Ｚ軸方向）に並ぶ第５発光装置１３ｅは、第６発光装置１３ｆと第７発光装置１３ｇとの間において、−Ｚ軸方向に向かうに従って、射出される光の強度が大きくなる。
【００４５】
なお、光源１０は、第１発光装置１３ａと第６発光装置１３ｆとの間で−Ｙ軸方向に並ぶ複数の第５発光装置１３ｅにおいて、隣り合う第５発光装置１３ｅから射出される光の強度が同じとなる第５発光装置１３ｅを有していてよい。このことは、第２発光装置１３ｂと第６発光装置１３ｆとの間の第５発光装置１３ｅ、および第６発光装置１３ｆと第７発光装置１３ｇとの第５発光装置１３ｅにおいて同様である。
【００４６】
また、第１発光装置１３ａと第６発光装置１３ｆとの間で−Ｙ軸方向に並ぶ全ての第５発光装置１３ｅにおいて、−Ｙ軸方向に向かうに従って、射出される光の強度が徐々に小さくなってもよい。このことは、第２発光装置１３ｂと第６発光装置１３ｆとの間の第５発光装置１３ｅ、および第６発光装置１３ｆと第７発光装置１３ｇとの間の第５発光装置１３ｅにおいて同様である。
【００４７】
第１辺１６ａの場合と同様に、複数の第５発光装置１３ｅのうち、第２発光装置１３ｂの中心Ｃ２から中点Ｍ２に向かう第３方向（図示の例では−Ｚ軸方向）に並ぶ第５発光装置１３ｅは、第２発光装置１３ｂと第８発光装置１３ｈとの間において、−Ｚ軸方向に向かうに従って、射出される光の強度が小さくなる。
【００４８】
複数の第５発光装置１３ｅのうち、第３発光装置１３ｃの中心Ｃ３から中点Ｍ２に向かう第４方向（図示の例では＋Ｚ軸方向）に並ぶ第５発光装置１３ｅは、第３発光装置１３ｃと第８発光装置１３ｈとの間において、＋Ｚ軸方向に向かうに従って、射出される光の強度が小さくなる。
【００４９】
複数の第５発光装置１３ｅのうち、中点Ｍ２から中心Ｃに向かう第２方向（図示の例では＋Ｙ軸方向）に並ぶ第５発光装置１３ｅは、第８発光装置１３ｈと第７発光装置１３ｇとの間において、＋Ｙ軸方向に向かうに従って、射出される光の強度が大きくなる。
【００５０】
また、複数の第５発光装置１３ｅのうち、第３発光装置１３ｃの中心Ｃ３から中点Ｍ３に向かう第２方向（図示の例では＋Ｙ軸方向）に並ぶ第５発光装置１３ｅは、第３発光装置１３ｃと第９発光装置１３ｉとの間において、＋Ｙ軸方向に向かうに従って、射出される光の強度が小さくなる。
【００５１】
複数の第５発光装置１３ｅのうち、第４発光装置１３ｄの中心Ｃ４から中点Ｍ３に向かう第１方向（図示の例では−Ｙ軸方向）に並ぶ第５発光装置１３ｅは、第４発光装置１３ｄと第９発光装置１３ｉとの間において、−Ｙ軸方向に向かうに従って、射出される光の強度が小さくなる。
【００５２】
複数の第５発光装置１３ｅのうち、中点Ｍ３から中心Ｃに向かう第４方向（図示の例では＋Ｚ軸方向）に並ぶ第５発光装置１３ｅは、第９発光装置１３ｉと第７発光装置１３ｇとの間において、＋Ｚ軸方向に向かうに従って、射出される光の強度が大きくなる。
【００５３】
また、複数の第５発光装置１３ｅのうち、第４発光装置１３ｄの中心Ｃ４から中点Ｍ４
に向かう第４方向（図示の例では＋Ｚ軸方向）に並ぶ第５発光装置１３ｅは、第４発光装置１３ｄと第１０発光装置１３ｊとの間において、＋Ｚ軸方向に向かうに従って、射出される光の強度が小さくなる。
【００５４】
複数の第５発光装置１３ｅのうち、第１発光装置１３ａの中心Ｃ１から中点Ｍ４に向かう第３方向（図示の例では−Ｚ軸方向）に並ぶ第５発光装置１３ｅは、第１発光装置１３ａと第１０発光装置１３ｊとの間において、−Ｚ軸方向に向かうに従って、射出される光の強度が小さくなる。
【００５５】
複数の第５発光装置１３ｅのうち、中点Ｍ４から中心Ｃに向かう第１方向（図示の例では−Ｙ軸方向）に並ぶ第５発光装置１３ｅは、第１０発光装置１３ｊと第７発光装置１３ｇとの間において、−Ｙ軸方向に向かうに従って、射出される光の強度が大きくなる。
【００５６】
光源１０から射出される光は、図１の示すように、液晶ライトバルブ２０に入射する。図示の例では、液晶ライトバルブ２０の光の入射側に、第１偏光板３０が設けられ、液晶ライトバルブ２０の光の射出側に、第２偏光板３２が設けられている。第１偏光板３０は、液晶ライトバルブ２０に入射する光の偏光の方向を揃える。第２偏光板３２は、液晶ライトバルブ２０から射出される光の偏光の方向を揃える。
【００５７】
液晶ライトバルブ２０は、光源１０から射出される光を、画像情報に応じて変調させる表示領域２２を有する。ここで、図６は、液晶ライトバルブ２０を模式的に示す平面図である。
【００５８】
表示領域２２の形状は、図６に示すように、平面視において、矩形である。表示領域２２は、例えば、画像を形成する領域である。表示領域２２は、例えば、液晶層を含んで構成されている。平面視において、発光領域１７の形状（ＹＺ平面における断面形状）は、表示領域２２の形状と相似形であって、その大きさは、表示領域２２と同じか、または表示領域２２よりも僅かに大きいことが好ましい。これにより、強度ムラが小さい光で、表示領域２２を照明することができる。液晶ライトバルブ２０は、例えば、光を透過させる透過型のライトバルブである。
【００５９】
液晶ライトバルブ２０の表示領域２２における光の形状は、例えば、複数の発光素子が矩形の配置領域に配置された光源において、全ての発光素子から射出される光の強度が同じ場合に比べて、矩形に近い。
【００６０】
投射装置４０には、液晶ライトバルブ２０から射出される光が入射する。投射装置４０は、液晶ライトバルブ２０によって形成された像（画像）を拡大して、スクリーン５０に投射する。投射装置４０は、例えば、投射レンズである。
【００６１】
プロジェクター１００は、例えば、以下の特徴を有する。
【００６２】
プロジェクター１００では、複数の第５発光装置１３ｅのうち、第１辺１６ａの中点Ｍ１の最も近くに配置された第６発光装置１３ｆから射出される光の強度は、第１発光装置１３ａから射出される光の強度、および第２発光装置１３ｂから射出される光の強度よりも小さい。さらに、複数の第５発光装置１３ｅのうち、第１発光装置１３ａの中心Ｃ１から第１辺１６ａの中点Ｍ１へ向かう第１方向に並ぶ第５発光装置１３ｅは、第１発光装置１３ａと第６発光装置１３ｆとの間において、第１方向に向かうに従って、射出される光の強度が小さくなる。さらに、複数の第５発光装置１３ｅのうち、第２発光装置１３ｂの中心Ｃ２から第１辺１６ａの中点Ｍ１へ向かう第２方向に並ぶ第５発光装置１３ｅは、第２発光装置１３ｂと第６発光装置１３ｆとの間において、第２方向に向かうに従って、射
出される光の強度が小さくなる。
【００６３】
そのため、プロジェクター１００では、例えば、光源１０から所定の距離だけ離れた位置に配置された液晶ライトバルブ２０の表示領域２２において、光源１０から射出される光の断面Ｓ２の形状を、図７に示すように、略矩形にすることができる。したがって、プロジェクター１００では、例えば液晶ライトバルブ２０の矩形の表示領域２２に合わせて、表示領域２２において光の（光源１０から射出される光の）断面の形状を略矩形にすることができ、効率よく、表示領域２２を照射することができる。よって、プロジェクター１００では、例えば、光学インテグレーター等の複雑な光学系を用いることなく、簡易かつ小型の照明系で高い照明効率と良好な照明品位とを得ることができる。
【００６４】
一方、発光装置から射出される光の強度が全ての発光装置において同じ場合では、光源から射出された直後の光の断面Ｓ３の形状は、図９に示すように、例えば矩形である。しかし、光源から射出される光は、発散性を有するため、光源から離れるに従って発散し、プロジェクター１００の場合の光源１０と表示領域２２との間と同程度の距離だけ離れた位置における光の断面Ｓ４の形状は、例えば、図１１に示すように、円となる。この場合、この光の断面形状は、液晶ライトバルブ２０の矩形の表示領域２２と合わないため、表示領域２２を照明する光量効率が低下する。
【００６５】
なお、図７，９，１１は、それぞれ光の断面Ｓ２，Ｓ３，Ｓ４における強度分布を説明するための図であり、強度の同じ点を線として示している。図８は、図７のＶＩＩＩ−ＶＩＩＩ線断面図の光の強度分布を説明するための図である。図１０は、図９のＸ−Ｘ線断面の光の強度分布を説明するための図である。図１２は、図１１のＸＩＩ−ＸＩＩ線断面図の光の強度分布を説明するための図である。また、便宜上、図７〜図１２では、光源から射出された直後の光の断面形状が正方形（光源１０の発光領域１７の外形が正方形）である場合を図示している。また、図７，９，１１は、互いに直交する３軸として、Ｘ軸、Ｙ軸、およびＺ軸を図示している。
【００６６】
また、例えば、液晶ライトバルブ２０の表示領域２２において図７に示すような形状を有する光であっても、さらに、表示領域２２から、＋Ｘ軸方向に十分離れた位置では、図１１に示すような形状となる。
【００６７】
プロジェクター１００では、複数の第５発光装置１３ｅのうち、配置領域１６の中心Ｃの最も近くに配置された第７発光装置１３ｇから射出される光の強度は、第６発光装置１３ｆから射出される光の強度よりも大きい。さらに、複数の第５発光装置１３ｅのうち、第１辺１６ａの中点Ｍ１から配置領域１６の中心Ｃに向かう第３方向に並ぶ第５発光装置１３ｅは、第６発光装置１３ｆと第７発光装置１３ｇとの間において、第３方向に向かうに従って、射出される光の強度が大きくなる。そのため、プロジェクター１００では、表示領域２２において、光源１０から射出される光の断面の形状を、より確実に、略矩形にすることができる。
【００６８】
プロジェクター１００では、発光装置１３は、１つの発光素子１４を有する。そのため、プロジェクター１００では、例えば、発光素子１４に注入する電流量を制御することにより、複数の発光装置１３から射出される光の強度を制御することができる。
【００６９】
プロジェクター１００では、表示領域２２における光の形状は、複数の発光素子が矩形の配置領域に配置された光源において、全ての発光素子から射出される光の強度が同じ場合に比べて、矩形に近い。そのため、プロジェクター１００では、効率よく、液晶ライトバルブ２０の表示領域２２を照明することができる。例えば、図７に示すように、同じ強度を示す線が直線となる部分を有する場合は、図１１のように、同じ強度を示す線が円の
場合に比べて、矩形に近いといえる。また、例えば、同じ強度を示す線の直線となる部分が長い方が、矩形に近いといえる。
【００７０】
プロジェクター１００では、複数の第５発光装置１３ｅのうち、第２辺１６ｂの中点Ｍ２の最も近くに配置された第８発光装置１３ｈから射出される光の強度は、第２発光装置１３ｂから射出される光の強度、および第３発光装置１３ｃから射出される光の強度よりも小さい。さらに、複数の第５発光装置１３ｅのうち、第２発光装置１３ｂの中心Ｃ２から第２辺１６ｂの中点Ｍ２へ向かう第３方向に並ぶ第５発光装置１３ｅは、第２発光装置１３ｂと第８発光装置１３ｈとの間において、第３方向に向かうに従って、射出される光の強度が小さくなる。さらに、複数の第５発光装置１３ｅのうち、第３発光装置１３ｃの中心Ｃ３から第２辺１６ｂの中点Ｍ２へ向かう第４方向に並ぶ第５発光装置１３ｅは、第３発光装置１３ｃと第８発光装置１３ｈとの間において、第４方向に向かうに従って、射出される光の強度が小さくなる。そのため、プロジェクター１００では、表示領域２２において、光源１０から射出される光の断面の形状を、より確実に、略矩形にすることができる。
【００７１】
プロジェクター１００では、複数の第５発光装置１３ｅのうち、第３辺１６ｃの中点Ｍ３の最も近くに配置された第９発光装置１３ｉから射出される光の強度は、第３発光装置１３ｃから射出される光の強度、および第４発光装置１３ｄから射出される光の強度よりも小さい。さらに、複数の第５発光装置１３ｅのうち、第３発光装置１３ｃの中心Ｃ３から第３辺１６ｃの中点Ｍ３へ向かう第２方向に並ぶ第５発光装置１３ｅは、第３発光装置１３ｃと第９発光装置１３ｉとの間において、第２方向に向かうに従って、射出される光の強度が小さくなる。さらに、複数の第５発光装置１３ｅのうち、第４発光装置１３ｄの中心Ｃ４から第３辺１６ｃの中点Ｍ３へ向かう第１方向に並ぶ第５発光装置１３ｅは、第４発光装置１３ｄと第９発光装置１３ｉとの間において、第１方向に向かうに従って、射出される光の強度が小さくなる。そのため、プロジェクター１００では、表示領域２２において、光源１０から射出される光の断面の形状を、より確実に、略矩形にすることができる。
【００７２】
プロジェクター１００では、複数の第５発光装置１３ｅのうち、第４辺１６ｄの中点Ｍ４の最も近くに配置された第１０発光装置１３ｊから射出される光の強度は、第４発光装置１３ｄから射出される光の強度、および第１発光装置１３ａから射出される光の強度よりも小さい。さらに、複数の第５発光装置１３ｅのうち、第４発光装置１３ｄの中心Ｃ４から第４辺１６ｄの中点Ｍ４へ向かう第４方向に並ぶ第５発光装置１３ｅは、第４発光装置１３ｄと第１０発光装置１３ｊとの間において、第４方向に向かうに従って、射出される光の強度が小さくなる。さらに、複数の第５発光装置１３ｅのうち、第１発光装置１３ａの中心Ｃ１から第４辺１６ｄの中点Ｍ４へ向かう第３方向に並ぶ第５発光装置１３ｅは、第１発光装置１３ａと第１０発光装置１３ｊとの間において、第３方向に向かうに従って、射出される光の強度が小さくなる。そのため、プロジェクター１００では、表示領域２２において、光源１０から射出される光の断面の形状を、より確実に、略矩形にすることができる。
【００７３】
なお、図示はしないが、本発明に係るプロジェクターは、赤色光、緑色光、青色光を射出する３つ光源と、該光源に対応する３つの液晶ライトバルブと、液晶ライトバルブから射出される光を合成するクロスダイクロイックプリズムと、を有していてもよい。
【００７４】
２．  プロジェクターの変形例
２．１．  第１変形例
次に、本実施形態の第１変形例に係るプロジェクターについて、図面を参照しながら説明する。図１３は、本実施形態の第１変形例に係るプロジェクターにおいて、光源１０か
ら射出された直後の光の断面Ｓ１における強度分布を説明するための図である。なお、図１３および後述する図１４では、互いに直交する３軸として、Ｘ軸、Ｙ軸、およびＺ軸を図示している。
【００７５】
以下、本実施形態の第１変形例に係るプロジェクターにおいて、上述した本実施形態に係るプロジェクター１００の例と異なる点について説明し、同様の点については説明を省略する。このことは、後述する本実施形態の第２，第３変形例に係るプロジェクターにおいて同様である。
【００７６】
プロジェクター１００では、図２および図５に示すように、第７発光装置１３ｇから射出される光の強度は、発光装置１３ａ，１３ｂ，１３ｃ，１３ｄから射出される光の強度と同じであった。
【００７７】
これに対し、本実施形態の第１変形例に係るプロジェクター（以下、「第１変形例プロジェクター」ともいう）では、図１３に示すように、第７発光装置１３ｇから射出される光の強度は、発光装置１３ａ，１３ｂ，１３ｃ，１３ｄから射出される光の強度よりも小さい。図示の例では、第７発光装置１３ｇから射出される光は、主に第２領域Ａ２を形成する光である。
【００７８】
第１変形例プロジェクターは、例えば、以下の特徴を有する。
【００７９】
第１変形例プロジェクターでは、第７発光装置１３ｇから射出される光の強度は、第１発光装置１３ａから射出される光の強度、および第２発光装置１３ｂから射出される光の強度よりも小さい。そのため、第１変形例プロジェクターでは、発散性の光を射出する発光装置１３を有していても、光源１０から射出される光の断面の中心の強度が大きくなりすぎないようにすることができる。したがって、第１変形例プロジェクターでは、液晶ライトバルブ２０の表示領域２２において、光源１０から射出される光は、例えば、プロジェクター１００に比べて、図１４および図１５に示すように、強度分布における均一性がよい。
【００８０】
なお、図１４は、光の断面Ｓ２における強度分布を説明するための図であり、強度の同じ点を線として示している。図１５は、図１４のＸＶ−ＸＶ線断面の光の強度分布を説明するための図である。また、便宜上、図１４および図１５では、光源から射出された直後の光の断面形状が正方形（光源１０の発光領域１７の外形が正方形）である場合を図示している。
【００８１】
また、例えば、平面視において、投射レンズである投射装置４０の中心は、投射装置４０の周辺部に比べて、光の透過率が高い。第１変形例プロジェクターでは、このような投射装置４０によって投射された光の強度ムラを低減することができる。
【００８２】
２．２．  第２変形例
次に、本実施形態の第２変形例に係るプロジェクターについて、図面を参照しながら説明する。図１６は、本実施形態の第２変形例に係るプロジェクター２００を模式的に示す図である。なお、便宜上、図１６では、発光装置１３を簡略化して図示している。また、図１６では、互いに直交する３軸として、Ｘ軸、Ｙ軸、およびＺ軸を図示している。
【００８３】
プロジェクター２００では、図１６に示すように、光源１０から射出される光を表示領域２２に導く導光体６０を有する点において、上述したプロジェクター１００と異なる。
【００８４】
導光体６０は、光源１０と液晶ライトバルブ２０との間に配置されている。ここで、図
１７および図１８は、導光体６０を模式的に示す斜視図である。導光体６０は、図１７に示すように、ガラス等の透光性媒体からなる棒状体であってもよい。または、導光体６０は、図１８に示すように、管状に配置された反射ミラーに区画された内部空間を有する管状体であってもよい。導光体６０は、図１７および図１８に示すように、入射面６２から射出面６４に向けて断面積が大きくなるテーパー形状を有していてもよい。
【００８５】
導光体６０の入射面６２および射出面６４の形状は、例えば、矩形である。入射面６２の形状（ＹＺ平面における断面形状）は、光源１０の発光領域１７の形状と略相似形であって、その大きさは、発光領域１７と同じか、または発光領域１７よりも僅かに大ききことが好ましい。これにより、入射面６２に入射せずに損失となる光を低減することができる。射出面６４の形状（ＹＺ平面における断面形状）は、表示領域２２の形状と略相似形であって、その大きさは、表示領域２２と同じか、または表示領域２２よりも僅かに大きいことが好ましい。これにより、強度ムラが小さい光で、表示領域２２を照明することができる。導光体６０は、平面視において、例えば、矩形の形状を有している。
【００８６】
導光体６０の入射面６２における光の形状は、例えば、複数の発光素子が矩形の配置領域に配置された光源において、全ての発光素子から射出される光の強度が同じ場合に比べて、矩形に近い。
【００８７】
プロジェクター２００は、例えば、以下の特徴を有する。
【００８８】
プロジェクター２００では、光源１０から射出される光を表示領域２２に導く導光体６０を有し、導光体６０の入射面６２における光の形状は、複数の発光素子が矩形の配置領域に配置された光源において、全ての発光素子から射出される光の強度が同じ場合に比べて、矩形に近い。そのため、プロジェクター２００では、導光体６０への入射光率を向上させることができ、効率よく、液晶ライトバルブ２０の表示領域２２を照明することができる。また、プロジェクター２００は、導光体６０を有するため、強度ムラがいっそう小さい光で、表示領域２２を照明することができる。
【００８９】
２．３．  第３変形例
次に、本実施形態の第３変形例に係るプロジェクターについて、図面を参照しながら説明する。図１９は、本実施形態の第３変形例に係るプロジェクター３００の発光装置１３を模式的に示す平面図である。図２０は、本実施形態の第３変形例に係るプロジェクター３００の発光装置１３を模式的に示す図１９のＸＸ−ＸＸ線断面図である。図２１は、本実施形態の第３変形例に係るプロジェクター３００の発光装置１３を模式的に示す平面図である。図２２は、本実施形態の第３変形例に係るプロジェクター３００の発光装置１３を模式的に示す図２１のＸＸＩＩ−ＸＸＩＩ線断面図である。
【００９０】
なお、図１９および図２０では、プロジェクター３００の第１発光装置１３ａを図示している。また、図２１および図２２では、プロジェクター３００の第６発光装置１３ｆを図示している。また、図１９〜図２２では、互いに直交する３軸として、Ｘ軸、Ｙ軸、およびＺ軸を図示している。
【００９１】
上述したプロジェクター１００では、図３および図４に示すように、全ての発光装置１３は、発光素子１４を１つだけ有していた。これに対し、プロジェクター３００では、図１９〜図２２に示すように、発光装置１３は、１つ以上の発光素子１４を有している。プロジェクター３００では、例えば、全ての発光素子１４から射出される光の強度は、同じである。
【００９２】
プロジェクター３００では、第６発光装置１３ｆが有する発光素子１４の数は、第１発
光装置１３ａが有する発光素子１４の数よりも少ない。図示の例では、第１発光装置１３ａは、４つの発光素子１４を有している。第６発光装置１３ｆは、１つの発光素子１４を有している。同様に、発光装置１３ｈ，１３ｉ，１３ｊが有する発光素子１４の数は、発光装置１３ｂ，１３ｃ，１３ｄ，１３ｇが有する発光素子１４の数よりも少ない。
【００９３】
プロジェクター３００では、発光装置１３は、例えば、配置面１１ａの所定面積を有する領域（所定面積領域）１１ｂに配置された発光素子１４と、該発光素子１４から射出される光が入射するレンズ１５と、から構成されている。
【００９４】
例えば、第１発光装置１３ａは、４つの発光素子１４を有している。この場合、第１発光装置１３ａの中心Ｃ１は、４つの第１発光素子１４ａの中心を内部に含む最小の円（最小包含円）の中心である。４つの第１発光素子１４ａは、中心Ｃ１を含む所定面積領域１１ｂに配置されている。第２発光装置１３ｂは、４つの第２発光素子１４ｂを有している。この場合、第２発光装置１３ｂの中心Ｃ２は、４つの第２発光素子１４ｂの中心を内部に含む最小の円（最小包含円）の中心である。４つの第２発光素子１４ｂは、中心Ｃ２を含む所定面積領域１１ｂに配置されている。第６発光装置１３ｆは、中点Ｍ１を含む所定面積領域１１ｂに配置された１つの発光素子１４を有している。
【００９５】
複数の所定面積領域１１ｂは、２次元アレイ状に（マトリクス状に）配置されている。所定面積領域１１ｂの形状は、例えば、矩形（例えば正方形）である。所定面積領域１１ｂは、例えば、１μｍ２以上である。
【００９６】
プロジェクター３００では、所定面積領域１１ｂ当たりに配置された発光素子１４の数を制御して（配置面１１ａに配置された発光素子１４の密度を制御して）、光源１０から射出された直後の光の強度分布を、図５のようにすることができる。
【００９７】
プロジェクター３００は、例えば、以下の特徴を有する。
【００９８】
プロジェクター３００では、発光装置１３は、１つ以上の発光素子１４を有し、第６発光装置１３ｆが有する発光素子１４の数は、第１発光装置１３ａが有する発光素子１４の数、および第２発光装置１３ｂが有する発光素子１４の数よりも少なく、第１発光装置１３ａが有する発光素子１４から射出される光の強度、第２発光装置１３ｂが有する発光素子１４から射出される光の強度、および第６発光装置１３ｆが有する発光素子から射出される光の強度は、同じである。そのため、プロジェクター３００では、同じ発光強度を有する複数の発光素子１４を有していても、表示領域２２において、光源１０から射出される光の形状を、略矩形にすることができる。
【００９９】
本発明は、本願に記載の特徴や効果を有する範囲で一部の構成を省略したり、各実施形態や変形例を組み合わせたりしてもよい。
【０１００】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１０１】
１０…光源、１１…基板、１１ａ…配置面、１１ｂ…所定面積領域、１２…ヒートシンク、１３…発光装置、１３ａ…第１発光装置、１３ｂ…第２発光装置、１３ｃ…第３発光装
置、１３ｄ…第４発光装置、１３ｅ…第５発光装置、１３ｆ…第６発光装置、１３ｇ…第７発光装置、１３ｈ…第８発光装置、１３ｉ…第９発光装置、１３ｊ…第１０発光装置、１４…発光素子、１４ａ…第１発光素子、１４ｂ…第２発光素子、１４ｃ…第３発光素子、１４ｄ…第４発光素子、１５…レンズ、１６…配置領域、１６ａ…第１辺、１６ｂ…第２辺、１６ｃ…第３辺、１６ｄ…第４辺、１７…発光領域、２０…液晶ライトバルブ、２２…表示領域、３０…第１偏光板、３２…第２偏光板、４０…投射装置、５０…スクリーン、６０…導光体、６２…入射面、６４…射出面、１００，２００，３００…プロジェクター
【図１】
2019184967.tif 000003
【図２】
2019184967.tif 000004
【図３】
2019184967.tif 000005
【図４】
2019184967.tif 000006
【図５】
2019184967.tif 000007
【図６】
2019184967.tif 000008
【図７】
2019184967.tif 000009
【図８】
2019184967.tif 000010
【図９】
2019184967.tif 000011
【図１０】
2019184967.tif 000012
【図１１】
2019184967.tif 000013
【図１２】
2019184967.tif 000014
【図１３】
2019184967.tif 000015
【図１４】
2019184967.tif 000016
【図１５】
2019184967.tif 000017
【図１６】
2019184967.tif 000018
【図１７】
2019184967.tif 000019
【図１８】
2019184967.tif 000020
【図１９】
2019184967.tif 000021
【図２０】
2019184967.tif 000022
【図２１】
2019184967.tif 000023
【図２２】
2019184967.tif 000024